(57)【要約】【課題】  マルチキャリア信号をダイバーシチ受信する際に、ダイバーシチ利得を向上させたい。【解決手段】  複数のアンテナ１０のうちいずれかによって受信されたマルチキャリア信号であって、かつ複数のアンテナ１０に接続されたスイッチ１２によって選択されたマルチキャリア信号が入力される。ＦＦＴ部１６等は、入力したマルチキャリア信号に対して、受信処理を実行する。閾値処理部１８は、入力したマルチキャリア信号のうち、複数のサブキャリア信号のそれぞれの強度をしきい値と比較することによって、しきい値よりも小さい強度のサブキャリア信号の数を計算する。判定部２８は、計算された数が別のしきい値以上であれば、スイッチ１２に対して、切りかえを指示する。【選択図】  図１
2006279346.tif 000002
【特許請求の範囲】
【請求項１】
複数のアンテナのうちいずれかによって受信されたマルチキャリア信号であって、かつ複数のアンテナに接続されたスイッチによって選択されたマルチキャリア信号を入力する入力部と、
前記入力部において入力したマルチキャリア信号に対して、受信処理を実行する処理部と、
前記入力部において入力したマルチキャリア信号のうち、複数のサブキャリア信号のそれぞれの強度を第１のしきい値と比較することによって、第１のしきい値よりも小さい強度のサブキャリア信号の数を計算する比較部と、
前記比較部によって計算された数が第２のしきい値以上であれば、前記スイッチに対して、選択すべきマルチキャリア信号の切りかえを指示する指示部と、
を備えることを特徴とする受信装置。
【請求項２】
前記入力部は、複数のアンテナをひとつのグループとした場合に、複数のグループにそれぞれ接続された複数のスイッチから、複数のマルチキャリア信号を入力しており、
前記処理部は、複数のマルチキャリア信号をサブキャリア単位に合成した信号に対して、受信処理を実行し、
前記比較部は、複数のマルチキャリア信号のそれぞれに対して、第１のしきい値よりも小さい強度のサブキャリア信号の数を計算し、
前記指示部は、前記比較部によって計算された数が第２のしきい値以上となったマルチキャリア信号に対応したスイッチに、切りかえを指示することを特徴とする請求項１に記載の受信装置。
【請求項３】
前記指示部は、前記比較部によって計算された数が第２のしきい値以上となったマルチキャリア信号が複数存在する場合、複数のスイッチに対する切りかえを異なったタイミングにて指示することを特徴とする請求項２に記載の受信装置。
【請求項４】
前記入力部は、複数のアンテナをひとつのグループとした場合に、複数のグループにそれぞれ接続された複数のスイッチから、複数のマルチキャリア信号を入力しており、
前記処理部は、複数のマルチキャリア信号をサブキャリア単位に合成した信号に対して、受信処理を実行し、
前記比較部は、複数のマルチキャリア信号をサブキャリア単位に合成した信号に対して、第１のしきい値よりも小さい強度のサブキャリア信号の数を計算し、
前記指示部は、前記比較部によって計算された数が第２のしきい値以上であれば、複数のスイッチのうちの少なくともひとつに対して、切りかえを指示することを特徴とする請求項１に記載の受信装置。
【請求項５】
複数のアンテナのうちいずれかによって受信されたマルチキャリア信号であって、かつ複数のアンテナに接続されたスイッチによって選択されたマルチキャリア信号を入力する入力部と、
前記入力部において入力したマルチキャリア信号のうち、複数のサブキャリア信号のそれぞれの強度を第１のしきい値と比較することによって、第１のしきい値よりも小さい強度のサブキャリア信号を特定する特定部と、
前記入力部において入力したマルチキャリア信号に対して、受信処理を実行してから、受信処理した信号を後段の復号器に出力する処理部と、
前記処理部から出力される信号のうち、前記特定部によって特定されたサブキャリア信号に対応した信号が連続する数を計算する計算部と、
前記計算部によって計算された数が第２のしきい値以上であれば、前記スイッチに対して、選択すべきマルチキャリア信号の切りかえを指示する指示部と、
を備えることを特徴とする受信装置。
【請求項６】
前記処理部は、受信処理として、少なくともデインタリーブを実行することを特徴とする請求項５に記載の受信装置。
【請求項７】
前記入力部は、複数のアンテナをひとつのグループとした場合に、複数のグループにそれぞれ接続された複数のスイッチから、複数のマルチキャリア信号を入力しており、
前記処理部は、複数のマルチキャリア信号をサブキャリア単位に合成した信号に対して、受信処理を実行し、
前記指示部は、前記計算部によって計算された数が第２のしきい値以上であれば、複数のスイッチのうちの少なくともひとつに対して、切りかえを指示することを特徴とする請求項５または６に記載の受信装置。
【請求項８】
複数のアンテナのうちいずれかによって受信されたマルチキャリア信号であって、かつ複数のアンテナに接続されたスイッチによって選択されたマルチキャリア信号を入力する入力部と、
前記入力部において入力したマルチキャリア信号に対して、受信処理を実行する処理部と、
前記処理部における受信処理に含まれる複数の段階の信号をそれぞれ取得する手段と、取得した複数の段階の信号のそれぞれに対して、所定の処理を実行する手段と、所定の処理が実行された信号のそれぞれに対応したしきい値と、所定の処理が実行された信号のそれぞれを比較する手段とを含む比較部と、
前記比較部における複数の比較の結果をもとに、前記スイッチに対して、選択すべきマルチキャリア信号の切りかえの要否を指示する指示部と、
を備えることを特徴とする受信装置。
【請求項９】
前記受信装置の移動速度を受けつける受付部をさらに備え、
前記指示部は、前記受付部において受けつけた移動速度に応じて、前記スイッチに対して、選択すべきマルチキャリア信号の切りかえの要否を指示することを特徴とする請求項８に記載の受信装置。
【請求項１０】
前記比較部では、前記受付部において受けつけた移動速度に応じて、前記処理部の入力端から出力端までのうち、互いに異なった段階での信号に対するしきい値を変更することを特徴とする請求項９に記載の受信装置。
【請求項１１】
前記比較部では、前記受付部において受けつけた移動速度が高くなると、前記処理部の入力端から出力端までのうち、入力端に近い段階の信号に対するしきい値が、出力端に近い段階の信号に対するしきい値よりも、選択すべきマルチキャリア信号の切りかえを決定しやすくなるような値に規定されていることを特徴とする請求項１０に記載の受信装置。
【請求項１２】
前記比較部では、所定の処理として、マルチキャリア信号を時間領域にて規定した信号に対して強度を導出し、
前記指示部は、信号の強度がしきい値より小さければ、前記スイッチに対して、選択すべきマルチキャリア信号の切りかえを決定することを特徴とする請求項８から１１のいずれかに記載の受信装置。
【請求項１３】
前記比較部では、所定の処理として、マルチキャリア信号を周波数領域にて規定した信号のうち、複数のサブキャリア信号のそれぞれの強度を強度比較用のしきい値と比較することによって、強度比較用のしきい値よりも小さい強度のサブキャリア信号の数を計算し、
前記指示部は、計算された数がしきい値以上であれば、前記スイッチに対して、選択すべきマルチキャリア信号の切りかえを決定することを特徴とする請求項８から１２のいずれかに記載の受信装置。
【請求項１４】
前記処理部は、受信処理として、復号器を含んでおり、
前記比較部では、所定の処理として、マルチキャリア信号を周波数領域にて規定した信号のうち、複数のサブキャリア信号のそれぞれの強度を強度比較用のしきい値と比較することによって、強度比較用のしきい値よりも小さい強度のサブキャリア信号を特定してから、復号器の入力端の信号のうち、特定されたサブキャリア信号に対応した信号が連続する数を計算し、
前記指示部は、計算された数がしきい値以上であれば、前記スイッチに対して、選択すべきマルチキャリア信号の切りかえを決定することを特徴とする請求項８から１３のいずれかに記載の受信装置。
【請求項１５】
前記指示部では、比較の結果を受けつけたタイミングと、比較の結果を既に受けつけたタイミングとの差異が、予め定めた間隔よりも小さければ、受けつけた比較の結果をもとに、前記スイッチに対して、選択すべきマルチキャリア信号の切りかえを指示することを特徴とする請求項８から１４のいずれかに記載の受信装置。
【発明の詳細な説明】
【技術分野】
【０００１】
本発明は、受信技術に関し、特に複数のアンテナによって信号を受信する受信装置に関する。
【背景技術】
【０００２】
高速なデータ伝送を可能にしつつ、マルチパス環境下に強い通信方式として、マルチキャリア方式のひとつであるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式がある。ＯＦＤＭ変調された信号をダイバーシチ受信するために、以下のような処理が実行されている。すなわち、受信装置は、複数のアンテナのいずれかにて受信した信号に対してＦＦＴ（Ｆａｓｔ  Ｆｏｕｒｉｅｒ  Ｔｒａｎｓｆｏｒｍ）を実行し、ＦＦＴされた周波数領域の信号の強度と、しきい値とを比較する。このとき、比較は、ＦＦＴされた周波数領域の信号のうち、サブキャリア信号を単位に実行される。その結果、最も強度の低いサブキャリア信号がしきい値よりも小さくなった場合に、アンテナの切りかえがなされる（例えば、特許文献１参照。）。
【特許文献１】特開２０００−１７４７２６号公報
【発明の開示】
【発明が解決しようとする課題】
【０００３】
ＯＦＤＭ変調された信号に対してダイバーシチを実行する際に、強度の最も小さいサブキャリア信号に着目すると、強度の低くなる信号を受信しているアンテナが選択されにくくなる。しかしながら、地上波デジタルテレビジョン放送に適用する場合、以下の課題が生じる。地上波デジタルテレビジョン放送では、周波数選択性フェージング伝送路を介した信号が受信装置に受信される。そのため、一般的に、信号強度の低いサブキャリア信号も存在すれば、信号強度の高いサブキャリア信号も存在する。地上波デジタルテレビジョン放送でのサブキャリア数は、ＩＥＥＥ８０２．１１ａ規格での無線ＬＡＮでのサブキャリア数よりも多いので、さらに様々な強度のサブキャリア信号が存在する。このような状況下において、信号強度の低下と受像の限界との間に必ずしも因果関係があるとは限らない。すなわち、複数のサブキャリア信号の特性が受信特性に影響を及ぼすので、ひとつのサブキャリア信号だけを着目しても、ダイバーシチ利得の向上は大きくならない。
【０００４】
本発明はこうした状況に鑑みてなされたものであり、その目的は、様々な強度のサブキャリア信号を受信する際にダイバーシチ利得を向上させる受信装置を提供することにある。
【課題を解決するための手段】
【０００５】
上記課題を解決するために、本発明のある態様の受信装置は、複数のアンテナのうちいずれかによって受信されたマルチキャリア信号であって、かつ複数のアンテナに接続されたスイッチによって選択されたマルチキャリア信号を入力する入力部と、入力部において入力したマルチキャリア信号に対して、受信処理を実行する処理部と、入力部において入力したマルチキャリア信号のうち、複数のサブキャリア信号のそれぞれの強度を第１のしきい値と比較することによって、第１のしきい値よりも小さい強度のサブキャリア信号の数を計算する比較部と、比較部によって計算された数が第２のしきい値以上であれば、スイッチに対して、選択すべきマルチキャリア信号の切りかえを指示する指示部と、を備える。
【０００６】
「計算」は、四則演算に限らず、カウントであってもよい。また、カウントを四則演算における加算と見なしてもよい。つまり、数に対する所定の処理であればよい。
【０００７】
この態様によると、強度の低いサブキャリア信号が増加すると、受信したデータに誤りが生じやすくなるので、強度の低いサブキャリア信号の増加をもとに、マルチキャリア信号を切りかえることによって、ダイバーシチ利得を向上できる。
【０００８】
入力部は、複数のアンテナをひとつのグループとした場合に、複数のグループにそれぞれ接続された複数のスイッチから、複数のマルチキャリア信号を入力しており、処理部は、複数のマルチキャリア信号をサブキャリア単位に合成した信号に対して、受信処理を実行し、比較部は、複数のマルチキャリア信号のそれぞれに対して、第１のしきい値よりも小さい強度のサブキャリア信号の数を計算し、指示部は、比較部によって計算された数が第２のしきい値以上となったマルチキャリア信号に対応したスイッチに、切りかえを指示してもよい。この場合、選択ダイバーシチと合成ダイバーシチを組み合わせることによって、ダイバーシチ利得を向上できる。
【０００９】
指示部は、比較部によって計算された数が第２のしきい値以上となったマルチキャリア信号が複数存在する場合、複数のスイッチに対する切りかえを異なったタイミングにて指示してもよい。この場合、スイッチを切りかえるタイミングを異なるようにすることによって、データの不連続性の発生を低減できる。
【００１０】
入力部は、複数のアンテナをひとつのグループとした場合に、複数のグループにそれぞれ接続された複数のスイッチから、複数のマルチキャリア信号を入力しており、処理部は、複数のマルチキャリア信号をサブキャリア単位に合成した信号に対して、受信処理を実行し、比較部は、複数のマルチキャリア信号をサブキャリア単位に合成した信号に対して、第１のしきい値よりも小さい強度のサブキャリア信号の数を計算し、指示部は、比較部によって計算された数が第２のしきい値以上であれば、複数のスイッチのうちの少なくともひとつに対して、切りかえを指示してもよい。この場合、選択ダイバーシチと合成ダイバーシチを組み合わせることによって、ダイバーシチ利得を向上できる。
【００１１】
本発明の別の態様もまた、受信装置である。この装置は、複数のアンテナのうちいずれかによって受信されたマルチキャリア信号であって、かつ複数のアンテナに接続されたスイッチによって選択されたマルチキャリア信号を入力する入力部と、入力部において入力したマルチキャリア信号のうち、複数のサブキャリア信号のそれぞれの強度を第１のしきい値と比較することによって、第１のしきい値よりも小さい強度のサブキャリア信号を特定する特定部と、入力部において入力したマルチキャリア信号に対して、受信処理を実行してから、受信処理した信号を後段の復号器に出力する処理部と、処理部から出力される信号のうち、特定部によって特定されたサブキャリア信号に対応した信号が連続する数を計算する計算部と、計算部によって計算された数が第２のしきい値以上であれば、スイッチに対して、選択すべきマルチキャリア信号の切りかえを指示する指示部と、を備える。
【００１２】
この態様によると、復号器では、誤りが所定数連続すると、誤り訂正をできなくなり、また、強度の低い信号は誤っている可能性も高いので、強度の低い信号が所定数連続すると、誤り訂正をできなくなる可能性が高い。そのため、強度の低い信号が所定数連続すると、マルチキャリア信号を切りかえることによって、ダイバーシチ利得を向上できる。
【００１３】
処理部は、受信処理として、少なくともデインタリーブを実行してもよい。この場合、復号器での誤り訂正の能力を向上できる。
【００１４】
入力部は、複数のアンテナをひとつのグループとした場合に、複数のグループにそれぞれ接続された複数のスイッチから、複数のマルチキャリア信号を入力しており、処理部は、複数のマルチキャリア信号をサブキャリア単位に合成した信号に対して、受信処理を実行し、指示部は、計算部によって計算された数が第２のしきい値以上であれば、複数のスイッチのうちの少なくともひとつに対して、切りかえを指示してもよい。この場合、選択ダイバーシチと合成ダイバーシチを組み合わせることによって、ダイバーシチ利得を向上できる。
【００１５】
本発明のさらに別の態様もまた、受信装置である。この装置は、複数のアンテナのうちいずれかによって受信されたマルチキャリア信号であって、かつ複数のアンテナに接続されたスイッチによって選択されたマルチキャリア信号を入力する入力部と、入力部において入力したマルチキャリア信号に対して、受信処理を実行する処理部と、処理部における受信処理に含まれる複数の段階の信号をそれぞれ取得する手段と、取得した複数の段階の信号のそれぞれに対して、所定の処理を実行する手段と、所定の処理が実行された信号のそれぞれに対応したしきい値と、所定の処理が実行された信号のそれぞれを比較する手段とを含む比較部と、比較部における複数の比較の結果をもとに、スイッチに対して、選択すべきマルチキャリア信号の切りかえの要否を指示する指示部と、を備える。
【００１６】
この態様によると、受信処理に含まれる複数の段階の信号をもとに、切りかえを指示するので、伝送路の変動に追従する制御を実行しつつ、精度の高い制御を実行できる。
【００１７】
受信装置の移動速度を受けつける受付部をさらに備えてもよい。指示部は、受付部において受けつけた移動速度に応じて、スイッチに対して、選択すべきマルチキャリア信号の切りかえの要否を指示してもよい。「移動速度」は、速度の次元でなくても、移動速度が分かる物理量であればよい。例えば、ドップラー周波数である。比較部では、受付部において受けつけた移動速度に応じて、処理部の入力端から出力端までのうち、互いに異なった段階での信号に対するしきい値を変更してもよい。この場合、互いに異なった段階での信号に対するしきい値を変更するので、移動速度に応じた制御を実行できる。
【００１８】
比較部では、受付部において受けつけた移動速度が高くなると、処理部の入力端から出力端までのうち、入力端に近い段階の信号に対するしきい値が、出力端に近い段階の信号に対するしきい値よりも、選択すべきマルチキャリア信号の切りかえを決定しやすくなるような値に規定されていてもよい。この場合、入力端に近い段階の信号は、処理の期間が短いので、移動速度が高くなっても、伝送路の変動に追従するような処理を実行できる。
【００１９】
比較部では、所定の処理として、マルチキャリア信号を時間領域にて規定した信号に対して強度を導出し、指示部は、信号の強度がしきい値より小さければ、スイッチに対して、選択すべきマルチキャリア信号の切りかえを決定してもよい。この場合、処理の期間を短くできるので、伝送路の変動に追従するような処理を実行できる。
【００２０】
比較部では、所定の処理として、マルチキャリア信号を周波数領域にて規定した信号のうち、複数のサブキャリア信号のそれぞれの強度を強度比較用のしきい値と比較することによって、強度比較用のしきい値よりも小さい強度のサブキャリア信号の数を計算し、指示部は、計算された数がしきい値以上であれば、スイッチに対して、選択すべきマルチキャリア信号の切りかえを決定してもよい。この場合、強度の低いサブキャリア信号が増加すると、受信したデータに誤りが生じやすくなるので、強度の低いサブキャリア信号の増加をもとに、マルチキャリア信号を切りかえることによって、ダイバーシチ利得を向上できる。
【００２１】
処理部は、受信処理として、復号器を含んでおり、比較部では、所定の処理として、マルチキャリア信号を周波数領域にて規定した信号のうち、複数のサブキャリア信号のそれぞれの強度を強度比較用のしきい値と比較することによって、強度比較用のしきい値よりも小さい強度のサブキャリア信号を特定してから、復号器の入力端の信号のうち、特定されたサブキャリア信号に対応した信号が連続する数を計算し、指示部は、計算された数がしきい値以上であれば、スイッチに対して、選択すべきマルチキャリア信号の切りかえを決定してもよい。この場合、復号器では、誤りが所定数連続すると、誤り訂正をできなくなり、また、強度の低い信号は誤っている可能性も高いので、強度の低い信号が所定数連続すると、誤り訂正をできなくなる可能性が高い。そのため、強度の低い信号が所定数連続すると、マルチキャリア信号を切りかえることによって、ダイバーシチ利得を向上できる。
【００２２】
指示部では、比較の結果を受けつけたタイミングと、比較の結果を既に受けつけたタイミングとの差異が、予め定めた間隔よりも小さければ、受けつけた比較の結果をもとに、スイッチに対して、選択すべきマルチキャリア信号の切りかえを指示してもよい。この場合、複数の比較の結果を受けつける場合であっても、切りかえ処理を実行できる。
【００２３】
なお、以上の構成要素の任意の組合せ、本発明の表現を方法、装置、システム、記録媒体、コンピュータプログラムなどの間で変換したものもまた、本発明の態様として有効である。
【発明の効果】
【００２４】
本発明によれば、様々な強度のサブキャリア信号を受信する際にダイバーシチ利得を向上できる。
【発明を実施するための最良の形態】
【００２５】
（実施例１）
本発明を具体的に説明する前に、概要を述べる。本発明の実施例１は、地上デジタルテレビジョン規格のひとつであるＩＳＤＢ−Ｔ方式に対応した受信装置に関する。ＩＳＤＢ−Ｔ方式は、マルチキャリア変調のひとつであるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式を使用している。ここでは、「５６１７」のサブキャリアを使用する。受信装置は、複数のアンテナのうち、いずれかにおいて受信した信号を選択している。すなわち、選択ダイバーシチが実行されている。その際、受信した信号のサブキャリア数が多く、かつ周波数選択性フェージング伝送路を介した信号であっても、ダイバーシチ利得を向上させるために、受信装置は、以下のように動作する。
【００２６】
受信装置は、複数のアンテナのうちのいずれかによって受信した信号を周波数領域に変換する。周波数領域に変換された信号に含まれるサブキャリア信号の強度をしきい値と比較し、しきい値よりも小さくなる強度のサブキャリア信号の数を計算する。さらに、受信装置は、計算した数を別のしきい値と比較し、計算した数が別のしきい値以上であれば、信号を受信すべきアンテナの切りかえを決定する。
【００２７】
図１は、本発明の実施例１に係る受信装置１００の構成を示す。受信装置１００は、アンテナ１０と総称される第１アンテナ１０ａ、第２アンテナ１０ｂ、スイッチ１２、ＲＦ部１４、ＦＦＴ部１６、閾値処理部１８、周波数・時間デインタリーブ部２０、デマッピング部２２、ビットデインタリーブ部２４、ビタビ復号部２６、判定部２８を含む。
【００２８】
アンテナ１０は、伝送路を介して、無線周波数の信号を受信する。無線周波数の信号は、マルチキャリア信号である。スイッチ１２は、複数のアンテナ１０に接続されており、後述の判定部２８からの指示をもとに、複数のアンテナ１０のアンテナのうちのいずれかを選択する。このような処理によって、複数のアンテナ１０のうちいずれかによって受信されたマルチキャリア信号であって、かつスイッチ１２によって選択されたマルチキャリア信号が、ＲＦ部１４に入力される。
【００２９】
ＲＦ部１４は、受信した信号を無線周波数から、ベースバンドに周波数変換する。そのため、ＲＦ部１４は、チューナの機能を備えており、チューナの受信周波数を所定の値に固定することによって、ＲＦ部１４は、受信した信号から、視聴すべき放送局に対応したチャンネルの番組を選択する。なお、「番組」とは、放送されているプログラムを示すが、ここでは、その内容も含むものとする。すなわち、番組は、放送されている音声、放送されている映像、それらの組合せを示してもよいものとする。
【００３０】
ＦＦＴ部１６は、マルチキャリア信号に対する受信処理として、ＦＦＴを実行する。その結果、ＲＦ部１４においてベースバンドに周波数変換された信号が、周波数領域の信号に変換される。前述のごとく、周波数領域の信号には、「５６１７」のサブキャリア信号が使用される。閾値処理部１８は、ＦＦＴ部１６によって変換された複数のサブキャリア信号のそれぞれの強度をしきい値と比較する。さらに、閾値処理部１８は、しきい値よりも小さい強度のサブキャリア信号の数をカウントする。なお、カウントは、ひとつのＯＦＤＭシンボル、すなわち「５６１７」のサブキャリア信号をひとつの単位として実行する。そのため、閾値処理部１８は、新たなＯＦＤＭシンボルのタイミングにてカウンタをリセットする。ここで、しきい値は、予め実験等によって決定しておく。以下に示されるしきい値についても同様である。
【００３１】
判定部２８は、閾値処理部１８によってカウントされた数が別のしきい値以上であれば、スイッチ１２に対して、選択すべきマルチキャリア信号の切りかえを指示する。すなわち、閾値処理部１８においてカウントされた数を「ｄ」とし、別のしきい値を「ｃ」とすると、「ｃ≦ｄ」であれば、アンテナ１０の切りかえを決定し、「ｃ＞ｄ」であれば、アンテナ１０の切りかえを行なわないことを決定する。
【００３２】
周波数・時間デインタリーブ部２０は、周波数領域の信号に対して、周波数・時間デインタリーブを実行する。デインタリーブは、公知の技術であるので、説明を省略する。なお、周波数・時間デインタリーブは、ＩＳＤＢ−Ｔ方式において規定されている周波数・時間インタリーブの規則に対応するように実行される。デマッピング部２２は、周波数・時間デインタリーブされた信号をデマッピングする。デマッピング部２２は、ひとつのシンボルを複数のビットに変換する。変調方式に２５６ＱＡＭ（Ｑｕａｄｒａｔｕｒｅ  Ａｍｐｌｉｔｕｄｅ  Ｍｏｄｕｌａｔｉｏｎ）が使用されている場合、デマッピング部２２は、ひとつのシンボルを６つのビットに変換する。ビットデインタリーブ部２４は、デマッピング部２２において変換されたビットに対して、ビットデインタリーブを実行する。なお、ビットデインタリーブは、ＩＳＤＢ−Ｔ方式において規定されているビットデインタリーブの規則に対応するように実行される。ビタビ復号部２６は、ビットデインタリーブ部２４においてビットデインタリーブされた信号に対して、ビタビ復号を実行する。なお、ビタビ復号は、ＩＳＤＢ−Ｔ方式において規定されている畳み込み符号化方式の規則に対応するように実行される。
【００３３】
この構成は、ハードウエア的には、任意のコンピュータのＣＰＵ、メモリ、その他のＬＳＩで実現でき、ソフトウエア的にはメモリにロードされた受信機能を有したプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３４】
図２（ａ）−（ｂ）は、閾値処理部１８の動作原理を示す。縦軸に、信号の強度が「電力」として示され、横軸に、周波数が示される。また、説明を簡単にするために、サブキャリア信号の数を「９」とし、それぞれのサブキャリア信号に対応したサブキャリア番号を「１」、「２」というように示した。図２（ａ）では、サブキャリア番号「３」、「４」、「５」、「６」のサブキャリア信号の電力が、しきい値よりも小さくなっている。その結果、前述の「ｄ」は「４」になる。また、別のしきい値「ｃ」が「３」であるとすれば、「ｃ≦ｄ」が成立するので、判定部２８によってアンテナ１０の切りかえが決定される。図２（ｂ）では、サブキャリア番号「４」、「６」のサブキャリア信号の電力が、しきい値よりも小さくなっている。その結果、前述の「ｄ」は「２」になる。「ｃ＞ｄ」が成立し、「ｃ≦ｄ」が成立しないので、判定部２８によってアンテナ１０の切りかえはなされない。
【００３５】
以上の構成による受信装置１００の動作を説明する。図３は、アンテナ１０の切りかえ手順を示すフローチャートである。受信装置１００は、ふたつのアンテナ１０の内、一方のアンテナ１０にて信号を受信する（Ｓ１０）。閾値処理部１８は、ＦＦＴ後の受信信号のスペクトルに対して、しきい値を設け、そのしきい値に達していないサブキャリア信号の数をカウントする（Ｓ１２）。判定部２８では、カウントした数がしきい値以上であれば（Ｓ１４のＹ）、アンテナの切りかえを指示する（Ｓ１６）。一方、判定部２８では、カウントした数がしきい値以上でなければ（Ｓ１４のＮ）、処理を終了する。
【００３６】
図４は、変形例に係る受信装置１００の構成を示す。受信装置１００は、アンテナ１０と総称される第１アンテナ１０ａ、第２アンテナ１０ｂ、第３アンテナ１０ｃ、第４アンテナ１０ｄ、スイッチ１２と総称される第１スイッチ１２ａ、第２スイッチ１２ｂ、ＲＦ部１４と総称される第１ＲＦ部１４ａ、第２ＲＦ部１４ｂ、ＦＦＴ部１６と総称される第１ＦＦＴ部１６ａ、第２ＦＦＴ部１６ｂ、閾値処理部１８と総称される第１閾値処理部１８ａ、第２閾値処理部１８ｂ、合成部３８、周波数・時間デインタリーブ部２０、デマッピング部２２、ビットデインタリーブ部２４、ビタビ復号部２６、判定部２８と総称される第１判定部２８ａ、第２判定部２８ｂを含む。図４に示された構成要素のうち、図１の構成要素と同一の符号によって示されているものは、図１の構成要素と同様の処理を実行するので、説明を省略する場合がある。図４の受信装置１００は、図１の受信装置１００に合成ダイバーシチを付加した構成となっている。
【００３７】
アンテナ１０に対して、第１アンテナ１０ａと第２アンテナ１０ｂとをひとつのグループ（以下、「第１グループ」という）とし、第３アンテナ１０ｃと第４アンテナ１０ｄとを別のグループ（以下、「第２グループ」という）とする。第１グループに第１スイッチ１２ａが接続され、第２グループに第２スイッチ１２ｂが接続される。第１スイッチ１２ａは、第１アンテナ１０ａを介して入力される信号と第２アンテナ１０ｂを介して入力される信号のいずれかを選択し、第２スイッチ１２ｂは、第３アンテナ１０ｃを介して入力される信号と第４アンテナ１０ｄを介して入力される信号のいずれかを選択する。
【００３８】
閾値処理部１８は、第１グループと第２グループのそれぞれに対して、図１の閾値処理部１８と同様の処理を実行する。すなわち、第１グループにおける周波数領域の信号と第２グループにおける周波数領域の信号に対して、しきい値よりも小さい強度のサブキャリア信号の数を計算する。判定部２８は、閾値処理部１８によって計算された数と別のしきい値との比較の結果をもとにしたスイッチ１２の切りかえ処理を実行する。ここで、第１判定部２８ａは、第１グループに対する切りかえを実行し、第２判定部２８ｂは、第２グループに対する切りかえを実行する。制御部３０は、閾値処理部１８によって計算された数が別のしきい値以上となった周波数領域の信号が複数存在する場合、すなわち第１グループと第２グループの両方においてスイッチ１２の切りかえが発生する場合、第１スイッチ１２ａと第２スイッチ１２ｂに対する切りかえを異なったタイミングにて指示する。これによって、切りかえによる信号の不連続の影響が低減される。
【００３９】
合成部３８は、複数の周波数領域の信号をサブキャリア単位に合成する。ここで、合成は、最大比合成（ＭＲＣ：Ｍａｘｉｍｕｍ  Ｒａｔｉｏ  Ｃｏｍｂｉｎｉｎｇ）によってなされる。また、合成部３８は、ＭＭＳＥ（Ｍｉｎｉｍｕｍ  Ｍｅａｎ  Ｓｑｕａｒｅ  Ｅｒｒｏｒ）アルゴリズム等によるアダプティブアレイ処理を使用してもよい。
【００４０】
図５は、別の変形例に係る受信装置の構成を示す。受信装置１００は、アンテナ１０と総称される第１アンテナ１０ａ、第２アンテナ１０ｂ、第３アンテナ１０ｃ、第４アンテナ１０ｄ、スイッチ１２と総称される第１スイッチ１２ａ、第２スイッチ１２ｂ、ＲＦ部１４と総称される第１ＲＦ部１４ａ、第２ＲＦ部１４ｂ、ＦＦＴ部１６と総称される第１ＦＦＴ部１６ａ、第２ＦＦＴ部１６ｂ、合成部３８、閾値処理部１８、周波数・時間デインタリーブ部２０、デマッピング部２２、ビットデインタリーブ部２４、ビタビ復号部２６、判定部２８を含む。図５に示された構成要素のうち、図４の構成要素と同一の符号によって示されているものは、図４の構成要素と同様の処理を実行するので、説明を省略する場合がある。図５の受信装置１００は、図４の受信装置１００と同様に、図１の受信装置１００に合成ダイバーシチを付加した構成となっている。しかしながら、図５の受信装置１００では、図４の受信装置１００と比較して、アンテナ１０の切りかえを決定するための信号が異なる。
【００４１】
閾値処理部１８は、合成部３８によって合成された信号であって、かつ周波数領域の信号に対して、しきい値よりも小さい強度のサブキャリア信号の数を計算する。判定部２８は、閾値処理部１８によって計算された数が別のしきい値以上であれば、第１スイッチ１２ａあるいは第２スイッチ１２ｂに対して、切りかえを指示する。ここで、スイッチ１２の切りかえは、第１スイッチ１２ａあるいは第２スイッチ１２ｂに対して、ランダムに出力する。また、判定部２８は、第１スイッチ１２ａと第２スイッチ１２ｂのうちの一方に対して、切りかえを指示した後に、他方に対して、切りかえを指示してもよい。さらに、信号の強度を導出する機能が付加され、判定部２８は、信号の強度が小さい方のグループに含まれるスイッチ１２に対して、切りかえを指示してもよい。
【００４２】
本発明の実施例によれば、強度の低いサブキャリア信号が増加すると、受信したデータに誤りが生じやすくなるので、強度の低いサブキャリア信号の増加をもとに、マルチキャリア信号を切りかえることによって、ダイバーシチ利得を向上できる。また、マルチキャリア信号の数をカウントする処理なので、簡易な処理にて実現可能である。また、デインタリーブ等の処理の前段にて処理を実行するので、処理遅延を小さくできる。また、選択ダイバーシチと合成ダイバーシチを組み合わせることによって、ダイバーシチ利得を向上できる。また、選択ダイバーシチと合成ダイバーシチを組み合わせることによって、合成ダイバーシチに使用されるアンテナの数が増える場合よりも、回路規模の増加を抑制できる。また、スイッチを切りかえるタイミングを異なるようにすることによって、データの不連続性の発生を低減できる。
【００４３】
（実施例２）
本発明の実施例２も、地上デジタルテレビジョン規格のひとつであるＩＳＤＢ−Ｔ方式に対応した受信装置に関する。ＩＳＤＢ−Ｔ方式は、誤り訂正として畳み込み符号化方式を使用するとともに、インタリーブを使用する。受信装置は、複数のアンテナのうちのいずれかによって受信した信号を周波数領域に変換する。周波数領域に変換された信号に含まれるサブキャリア信号の強度をしきい値と比較し、しきい値よりも小さくなる強度のサブキャリア信号を特定する。受信装置は、周波数領域に変換された信号に対して、デインタリーブを実行する。受信装置は、復号器に入力される信号に対して、特定したサブキャリア信号に対応した信号が連続する数をカウントする。さらに、受信装置は、計算した数を別のしきい値と比較し、計算した数が別のしきい値以上であれば、信号を受信すべきアンテナの切りかえを決定する。
【００４４】
図６は、本発明の実施例２に係る受信装置１００の構成を示す。受信装置１００は、アンテナ１０と総称される第１アンテナ１０ａ、第２アンテナ１０ｂ、スイッチ１２、ＲＦ部１４、ＦＦＴ部１６、閾値処理部１８、周波数・時間デインタリーブ部２０、デマッピング部２２、ビットデインタリーブ部２４、ビタビ復号部２６、判定部２８を含む。図６に示された構成要素のうち、図１の構成要素と同一の符号によって示されているものは、図１の構成要素と同様の処理を実行するので、説明を省略する場合がある。
【００４５】
ＦＦＴ部１６は、時間領域の信号を周波数領域の信号に変換する。図７は、受信される信号の構成を示す。図示のごとく、周波数領域において、サブキャリア番号「１」、「２」等が付与されている。図６に戻る。閾値処理部１８は、ＦＦＴ部１６によって変換された複数のサブキャリア信号のそれぞれの強度をしきい値と比較する。さらに、閾値処理部１８は、しきい値よりも小さい強度のサブキャリア信号を特定する。閾値処理部１８は、特定したサブキャリア信号に対応したサブキャリア番号を出力する。図８は、閾値処理部１８の動作原理を示す。図示のごとく、サブキャリア番号「４」、「６」に対応したサブキャリア信号の強度が、しきい値より小さくなっているので、これらのサブキャリア信号が特定される。すなわち、周波数選択性のフェージングを受けた信号では、図８のように、サブキャリア信号の電力値に強弱が生じる。閾値処理部１８は、所定のしきい値を設け、そのしきい値に達していないサブキャリア信号のシンボルデータに対して、フラグを立てて記録する。
【００４６】
図６に戻る。周波数・時間デインタリーブ部２０、デマッピング部２２、ビットデインタリーブ部２４は、前述のごとく、周波数・時間でインタリーブ、デマッピング、ビットデインタリーブを実行する。地上波デジタルテレビジョン放送では、バースト的な誤りを低減するために、送信側において予め決められた規則によってインタリーブが施される。周波数・時間デインタリーブ部２０は、インタリーブと逆操作となるデインタリーブを施す。デマッピング部２２は、シンボルデータをビットデータに変換しつつ、フラグの立っていたシンボルから変化される全ビットデータに対して、フラグを立てる。図９は、デマッピング部２２の動作原理を示す。ここでは、変調方式として、２５６ＱＡＭを対象とする。すなわち、ひとつのシンボルデータが６ビットデータに変換される。図９において、黒丸がフラグを示す。図示のごとく、シンボルデータからビットデータへの変換に対応するように、ひとつのフラグが６つのフラグに変換される。ビットデインタリーブ部２４によってビットデインタリーブの実行された信号は、ビタビ復号部２６と判定部２８に入力される。
【００４７】
図６に戻る。判定部２８は、ビットデインタリーブ部２４から出力される信号のうち、閾値処理部１８によって特定されたサブキャリア信号に対応した信号が連続する数をカウントする。すなわち、フラグの立てられたビットデータが連続する数をカウントする。判定部２８では、計算された数が別のしきい値以上であれば、スイッチ１２に対して、切りかえを指示する。以上の動作は、ビタビ復号部２６によって誤り訂正がなされる際に、フラグを立てたビットデータが連続すると、ビタビ復号部２６において誤りが訂正されずに、誤りが多くなる傾向を利用している。これは、ビタビ復号部２６に入力する信号において生じているバースト誤りの程度によっては、誤り訂正がなされないことに相当する。そのため、判定部２８は、別のしきい値「ａ」を設け、フラグを立てたビットデータが連続する数「ｂ」としきい値「ａ」とを比較する。すなわち、「ａ≦ｂ」となる場合に、判定部２８は、アンテナ１０の切りかえを決定する。一方、「ａ＞ｂ」となる場合に、判定部２８は、アンテナ１０の切りかえを実行しない。
【００４８】
図１０（ａ）−（ｂ）は、判定部２８の動作原理を示す。図１０（ａ）−（ｂ）は、判定部２８に入力される信号を示す。ここで、しきい値「ａ」を「３」とする。図１０（ａ）において、フラグの立てられた信号の連続する数「ｂ」が、「４」である。そのため、「ａ≦ｂ」となるので、判定部２８は、アンテナ１０の切りかえを決定する。図１０（ｂ）において、フラグの立てられた信号の連続する数「ｂ」が、「２」である。そのため、「ａ＞ｂ」となるので、判定部２８は、アンテナ１０の切りかえを実行しない。
【００４９】
以上の構成による受信装置１００の動作を説明する。図１１は、アンテナ１０の切りかえ手順を示すフローチャートである。受信装置１００は、ふたつのアンテナ１０の内、一方のアンテナ１０にて信号を受信する（Ｓ２０）。閾値処理部１８は、ＦＦＴ後の受信信号のスペクトルに対して、しきい値を設け、そのしきい値に達していないサブキャリア信号を特定する（Ｓ２２）。デマッピング部２２は、シンボルデータをビットデータに変換しつつ、シンボルとして特定されていた全ビットデータに対して、フラグを立てる（Ｓ２４）。判定部２８では、ビットインタリーブ後にフラグを立てたビットデータが連続する数がしきい値以上であれば（Ｓ２６のＹ）、アンテナの切りかえを指示する（Ｓ２８）。一方、判定部２８では、ビットインタリーブ後にフラグを立てたビットデータが連続する数がしきい値以上でなければ（Ｓ２６のＮ）、処理を終了する。
【００５０】
図１２は、変形例に係る受信装置１００の構成を示す。受信装置１００は、アンテナ１０と総称される第１アンテナ１０ａ、第２アンテナ１０ｂ、第３アンテナ１０ｃ、第４アンテナ１０ｄ、スイッチ１２と総称される第１スイッチ１２ａ、第２スイッチ１２ｂ、ＲＦ部１４と総称される第１ＲＦ部１４ａ、第２ＲＦ部１４ｂ、レベル測定部４０と総称される第１レベル測定部４０ａ、第２レベル測定部４０ｂ、ＦＦＴ部１６と総称される第１ＦＦＴ部１６ａ、第２ＦＦＴ部１６ｂ、合成部３８、閾値処理部１８、周波数・時間デインタリーブ部２０、デマッピング部２２、ビットデインタリーブ部２４、ビタビ復号部２６、判定部２８を含む。図１２に示された構成要素のうち、図１、図４、図５、図６の構成要素と同一の符号によって示されているものは、それらの構成要素と同様の処理を実行するので、説明を省略する場合がある。図１２の受信装置１００は、図６の受信装置１００に合成ダイバーシチを付加した構成となっている。
【００５１】
レベル測定部４０は、時間領域の信号の強度を測定する。なお、レベル測定部４０とＲＦ部１４が逆になるように配置されており、レベル測定部４０が、無線周波数の信号の強度を測定してもよい。判定部２８は、計算された数が別のしきい値以上であれば、複数のスイッチ１２のうちの少なくともひとつに対して、切りかえを指示する。このとき、レベル測定部４０によって測定された信号の強度をもとに、信号の強度の小さいグループに含まれたスイッチ１２に対して、切りかえを指示する。なお、レベル測定部４０が含まれない構成も可能であり、その場合、判定部２８は、第１スイッチ１２ａあるいは第２スイッチ１２ｂに対して、ランダムに切りかえを指示する。また、判定部２８は、第１スイッチ１２ａと第２スイッチ１２ｂのうちの一方に対して、切りかえを指示した後に、他方に対して、切りかえを指示してもよい。
【００５２】
本発明の実施例によれば、バースト誤りとなる可能性が高い場合であっても、強度の低い信号が所定数連続すると、アンテナの選択を切りかえるので、ダイバーシチ利得を向上できる。また、ビタビ復号される信号をもとに、アンテナの切りかえを実行するので、実際に出力されるデータの品質を予想しやすくなり、制御の精度を向上できる。また、ビタビ復号部の前段においてインタリーブ等を実行することによって、ビタビ復号部での誤り訂正の能力を向上できる。また、選択ダイバーシチと合成ダイバーシチを組み合わせることによって、ダイバーシチ利得を向上できる。
【００５３】
（実施例３）
本発明の実施例３も、地上デジタルテレビジョン規格のひとつであるＩＳＤＢ−Ｔ方式に対応した受信装置に関する。また、実施例１と２に係る受信装置は、複数のアンテナのうち、受信に使用すべきアンテナを選択するが、ひとつの基準をもとにアンテナを選択する。受信装置が信号を受信する際の伝送路の特性は、様々な特性を有する。例えば、移動速度が速い場合や遅い場合である。前者では、伝送路の変動が高速になり、後者では、伝送路の変動が低速になる。このような状況のもと、伝送路の変動が高速である場合は、変動に追従できるような基準を使用することが望ましく、伝送路の変動が低速である場合は、より精度の高い基準を使用することが望ましい。すなわち、ダイバーシチ利得を向上させるためには、複数の基準をもとにアンテナを選択することが望ましい。
【００５４】
本発明の実施例３に係る受信装置は、受信処理において、複数の段階の信号のそれぞれに対して、所定の処理を実行する。さらに、所定の処理が実行された信号としきい値を比較することによって、信号を受信すべきアンテナの切りかえを決定する。その際、所定の処理が実行された信号は、複数の種類存在するので、複数の比較が実行される。受信装置は、移動速度が高速である場合に、受信処理における先端部分の段階の信号に対する比較を主として利用し、一方、移動速度が低速である場合に、受信処理における終端部分の段階の信号に対する比較を主として利用する。
【００５５】
図１３は、本発明の実施例３に係る受信装置１００の構成を示す。受信装置１００は、アンテナ１０と総称される第１アンテナ１０ａ、第２アンテナ１０ｂ、スイッチ１２、ＲＦ部１４、ＦＦＴ部１６、閾値処理部１８、周波数・時間デインタリーブ部２０、デマッピング部２２、ビットデインタリーブ部２４、ビタビ復号部２６、判定部２８と総称される第１判定部２８ａ、第２判定部２８ｂ、第３判定部２８ｃ、判定制御部３２と総称される第１判定制御部３２ａ、第２判定制御部３２ｂ、第３判定制御部３２ｃ、調整値制御部３４、調整値パラメータ記憶部３６を含む。図１３に示された構成要素のうち、図１、図６の構成要素と同一の符号によって示されているものは、それらの構成要素と同様の処理を実行するので、説明を省略する場合がある。
【００５６】
アンテナ１０、スイッチ１２、ＲＦ部１４、ＦＦＴ部１６、閾値処理部１８、周波数・時間デインタリーブ部２０、デマッピング部２２、ビットデインタリーブ部２４、ビタビ復号部２６は、図１、図６の場合と同一の処理を実行する。ここで、閾値処理部１８は、実施例１の場合と実施例２の場合とを組み合わせた処理を実行する。すなわち、閾値処理部１８は、ＦＦＴ部１６によって変換された複数のサブキャリア信号のそれぞれの強度をしきい値と比較する。また、閾値処理部１８は、しきい値よりも小さい強度のサブキャリア信号の数をカウントする。さらに、閾値処理部１８は、しきい値よりも小さい強度のサブキャリア信号を特定する。
【００５７】
第１判定部２８ａは、受信処理に含まれる複数の段階の信号として、時間領域の信号を入力する。第１判定部２８ａでは、入力した時間領域の信号に対して強度を導出する。第１判定部２８ａでは、信号の強度が第１のしきい値より小さければ、スイッチ１２に対して、切りかえを決定する。また、第１判定部２８ａは、決定した結果を制御部３０に出力する。ここで、第１のしきい値は、ＢＥＲ＝２．０×１０−４が得られるような信号強度に設定されてもよい。
【００５８】
第２判定部２８ｂでは、受信処理に含まれる複数の段階の信号として、閾値処理部１８においてカウントされた数を入力する。これは、周波数領域の信号に相当する。第２判定部２８ｂは、実施例１の判定部２８と同様の処理を実行する。また、第１判定部２８ａは、決定した結果を制御部３０に出力する。第３判定部２８ｃでは、受信処理に含まれる複数の段階の信号として、ビットデインタリーブ部２４においてビットデインタリーブされた信号を入力する。第３判定部２８ｃは、実施例２の判定部２８と同様の処理を実行する。また、第３判定部２８ｃは、決定した結果を制御部３０に出力する。
【００５９】
調整値制御部３４は、外部から移動速度を受けつける。これは、自動車等に備えられてた速度計から受けつければよい。あるいは受信した信号からドップラー周波数を導出する導出部がさらに設けられ、導出部から受けつけてもよい。調整値制御部３４は、調整値パラメータ記憶部３６に記憶された調整値パラメータを管理しており、受けつけた移動速度に応じて、調整値パラメータ記憶部３６から調整値パラメータを読み出す。さらに、調整値制御部３４は、読み出した調整値パラメータを判定制御部３２に通知する。判定制御部３２は、通知された調整値パラメータを判定部２８でのしきい値として設定する。すなわち、調整値制御部３４は、受けつけた移動速度に応じて、第１判定部２８ａ、第２判定部２８ｂ、第３判定部２８ｃでのしきい値を変更する。
【００６０】
調整値パラメータ記憶部３６は、調整値パラメータを記憶する。図１４は、調整値制御部３４におけるパラメータ参照アドレスのデータ構造を示す。図１４は、移動速度に応じて、各判定部２８に対する調整値パラメータが記憶されているアドレスを示す。調整値制御部３４は、移動速度を受けつけると、図１４を参照しながら、調整値パラメータ記憶部３６において調整値パラメータが記憶されたアドレスを特定する。ここで、移動速度が高くなると、処理部の入力端から出力端までのうち、入力端に近い第１判定部２８ａに対するしきい値が、出力端に近い第３判定部２８ｃに対するしきい値よりも、切りかえを決定しやすくなるように規定されている。第１判定部２８ａは、入力端に近いので、伝送路の変動に追従しやすく、第３判定部２８ｃは、出力端に近いので、実際に出力される映像の品質を反映しやすくなっている。移動速度に応じて、これらを選択することによって、移動速度が高くても、伝送路の変動に追従するように制御でき、移動速度が低くても、構成精度に制御できる。
【００６１】
図１５は、調整値パラメータ記憶部３６に記憶されるデータの構造を示す。図１４でのアドレスに、所定の調整値パラメータが記憶されている。調整値制御部３４は、特定したアドレスをもとに、図１５を参照しながら、調整値パラメータを読み出す。なお、「不使用」は、その場所の判定部２８は使用せず、アンテナ切り替え要求を出さないことを示す。なお、これらの調整値パラメータは、受像限界をもとに予め実験的に決定しておいたものである。
【００６２】
図１３に戻る。制御部３０は、判定部２８における複数の比較の結果をもとに、スイッチ１２に対して、切りかえを指示する。制御部３０は、比較の結果を受けつけたタイミングと、比較の結果を既に受けつけたタイミングとの差異から、予め定めた間隔よりも小さければ、受けつけた比較の結果をもとに、スイッチ１２に対して、切りかえを指示する。すなわち、制御部３０は、複数の判定部２８からのアンテナ切りかえ要求を連続して受けつける場合の調整を行う。複数の判定部２８からの要求が、あらかじめ設定しておいた時間ｔ以上の間隔で届いた場合に、判定部２８は、要求に従って、スイッチ１２を切りかえる。一方、ｔ未満の間隔で届いた場合に、判定部２８は、後ろにおいて受けつけた要求を無視する。
【００６３】
ここで、変形例を説明する。変形例では、調整値パラメータ記憶部３６に記憶されるデータの構造が異なる。図１６は、調整値パラメータ記憶部３６に記憶される別のデータの構造を示す。図に示された値「１」、「４／５」等は、通過率と呼ばれる。調整値制御部３４は、受けつけた移動速度をもとに、調整値パラメータ記憶部３６から通過率を読み出し、判定制御部３２に設定する。また、判定部２８においては、しきい値の変更はなされず、比較が実行される。判定制御部３２は、判定部２８から出力されるアンテナ切り替え要求を通過率に応じて間引いてから制御部３０に出力する。例えば、通過率が「１／５」である場合は、判定部２８から受けつけた５回の要求のうち、１回の要求だけを制御部３０に出力する。
【００６４】
図１７は、さらに別の変形例に係る受信装置１００の構成を示す。受信装置１００は、アンテナ１０と総称される第１アンテナ１０ａ、第２アンテナ１０ｂ、スイッチ１２、ＲＦ部１４、ＦＦＴ部１６、閾値処理部１８、周波数・時間デインタリーブ部２０、デマッピング部２２、ビットデインタリーブ部２４、ビタビ復号部２６、判定部２８と総称される第１判定部２８ａ、第２判定部２８ｂ、第３判定部２８ｃ、判定制御部３２、調整値パラメータ記憶部３６を含む。図１７に示された構成要素のうち、図１３の構成要素と同一の符号によって示されているものは、それらの構成要素と同様の処理を実行する。図１７の判定制御部３２は、図１３の第１判定制御部３２ａから第３判定制御部３２ｃ、調整値制御部３４をまとめた機能を有する。
【００６５】
本発明の実施例によれば、受信処理に含まれる複数の段階の信号をもとに、切りかえを指示（ただし、受信装置の移動速度が、例えば４０ｋｍ／ｈを超える場合には、切りかえを指示しないことを含む。）するので、伝送路の変動に追従する制御を実行しつつ、精度の高い制御を実行できる。また、互いに異なった段階での信号に対するしきい値を変更するので、移動速度に応じた制御を実行できる。また、時間領域の信号は、処理の期間が短くなるので、移動速度が高くなっても、伝送路の変動に追従するような処理を実行できる。また、ビタビ復号される信号をもとに、アンテナの切りかえを実行するので、実際に出力されるデータの品質を予想しやすくなり、制御の精度を向上できる。また、複数の比較の結果を受けつける場合であっても、切りかえ処理を実行できる。また、透過率を調節することによって、しきい値の変更を不要にできる。
【００６６】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６７】
本発明の実施例１から３において、受信装置１００は、デジタルテレビジョン放送の番組を受信している。しかしながらこれに限らず例えば、受信装置１００は、ラジオ放送の番組を受信してもよく、さらにＯＦＤＭ変調方式を使用した無線ＬＡＮにおける信号を受信してもよい。後者の一例は、ＩＥＥＥ８０２．１１ａ規格における無線ＬＡＮである。本変形例によれば、受信装置１００は、様々な通信システムや放送システムに適用可能になる。なお、サブキャリア数が多いほど、本発明による効果も大きくなる。つまり、ＯＦＤＭ変調方式が使用されていればよい。
【００６８】
本発明の実施例１から３において、受信装置１００は、ビタビ復号部２６を含んでおり、誤り訂正方式として、畳み込み符号化に対応している。しかしながらこれに限らず例えば、受信装置１００は、畳み込み符号化以外の誤り訂正方式に対応してもよい。例えば、ターボ符号化、ＬＤＰＣ（Ｌｏｗ  Ｄｅｎｓｉｔｙ  Ｐａｒｉｔｙ  Ｃｈｅｃｋ）符号化、ブロック符号化でもよい。また、周波数・時間デインタリーブ部２０、ビットデインタリーブ部２４が含まれなくてもよい。本変形例によれば、使用されるシステムにあわせて、受信装置１００を設計できる。
【００６９】
本発明の実施例３において、受信装置１００は、アンテナ１０の切りかえを決定するために、第１判定部２８ａから第３判定部２８ｃの３つの判定部２８を備えている。しかしながらこれに限らず例えば、３つのうち、任意のふたつの組合せであってもよい。本変形例によれば、回路規模を小さくできる。つまり、受信処理での異なった段階の信号が使用されればよい。
【図面の簡単な説明】
【００７０】
【図１】本発明の実施例１に係る受信装置の構成を示す図である。
【図２】図２（ａ）−（ｂ）は、図１の閾値処理部の動作原理を示す図である。
【図３】図１の受信装置におけるアンテナの切りかえ手順を示すフローチャートである。
【図４】図１の変形例に係る受信装置の構成を示す図である。
【図５】図１の別の変形例に係る受信装置の構成を示す図である。
【図６】本発明の実施例２に係る受信装置の構成を示す図である。
【図７】図６の受信装置によって受信される信号の構成を示す図である。
【図８】図６の閾値処理部の動作原理を示す図である。
【図９】図６のデマッピング部の動作原理を示す図である。
【図１０】図１０（ａ）−（ｂ）は、図６の判定部の動作原理を示す図である。
【図１１】図６の受信装置におけるアンテナの切りかえ手順を示すフローチャートである。
【図１２】図６の変形例に係る受信装置の構成を示す図である。
【図１３】本発明の実施例３に係る受信装置の構成を示す図である。
【図１４】図１３の調整値制御部におけるパラメータ参照アドレスのデータ構造を示す図である。
【図１５】図１３の調整値パラメータ記憶部に記憶されるデータの構造を示す図である。
【図１６】図１３の調整値パラメータ記憶部に記憶される別のデータの構造を示す図である。
【図１７】図１３の変形例に係る受信装置の構成を示す図である。
【符号の説明】
【００７１】
１０  アンテナ、  １２  スイッチ、  １４  ＲＦ部、  １６  ＦＦＴ部、  １８  閾値処理部、  ２０  周波数・時間デインタリーブ部、  ２２  デマッピング部、  ２４  ビットデインタリーブ部、  ２６  ビタビ復号部、  ２８  判定部、  ３０  制御部、  １００  受信装置。
【図１】
2006279346.tif 000003
【図２】
2006279346.tif 000004
【図３】
2006279346.tif 000005
【図４】
2006279346.tif 000006
【図５】
2006279346.tif 000007
【図６】
2006279346.tif 000008
【図７】
2006279346.tif 000009
【図８】
2006279346.tif 000010
【図９】
2006279346.tif 000011
【図１０】
2006279346.tif 000012
【図１１】
2006279346.tif 000013
【図１２】
2006279346.tif 000014
【図１３】
2006279346.tif 000015
【図１４】
2006279346.tif 000016
【図１５】
2006279346.tif 000017
【図１６】
2006279346.tif 000018
【図１７】
2006279346.tif 000019